(57)【要約】【課題】恒久的な補修を目的として、ボタンの周囲の生地が破損した際に、確実且つ簡単に補修を行なえ、当該補修用ボタンの脱落を招来せず、取付対象生地の色に関係なく補修跡が目立たない補修を行なうことができる補修用のスナップボタンの提供。【解決手段】長手方向中央で二つ折り可能な透明の取付生地と、該取付生地に対して設けられる一つの雄スナップボタン（１０）又は一つの雌スナップボタン（２０）とからなり、前記取付生地は、前記二つ折りの際の折線を対称軸として、前記雄スナップボタン（１０）又は雌スナップボタン（２０）と線対称となる位置に雄スナップボタンの外径と略等しい内径を有する雄スナップボタン通し穴（１２）又は雌スナップボタン通し穴（２２）を形成してなる補修用スナップボタン。【選択図】        図１
2004358042.tif 000002
【特許請求の範囲】
【請求項１】
長手方向中央で二つ折り可能な取付生地と、該取付生地に対して設けられる一つの雄スナップボタン（１０）又は一つの雌スナップボタン（２０）とからなり、前記取付生地は、前記二つ折りの際の折線（Ｌ）を対称軸として、前記雄スナップボタン（１０）又は雌スナップボタン（２０）と線対称となる位置に雄スナップボタンの外径と略等しい内径を有する雄スナップボタン通し穴（１２）又は雌スナップボタン通し穴（２２）を形成してなることを特徴とする補修用スナップボタン。
【請求項２】
取付生地は、無色透明としたことを特徴とする請求項１記載の補修用スナップボタン。
【請求項３】
取付生地（１１）（２１）は、雄スナップボタン（１０）、雌スナップボタン（２０）の係合部側となる面を基準として谷折し、雄スナップボタン通し穴（１２）若しくは雌スナップボタン通し穴（２２）と、前記雄スナップボタン（１０）若しくは雌スナップボタン（２０）との中心が一致する状態で取付対象生地（３）に取付け可能となることを特徴とする請求項１又は２記載の補修用スナップボタン。
【請求項４】
雄スナップボタン（１０）、雌スナップボタン（２０）、及び取付生地（１１）（２１）は、いずれも耐熱性素材からなり、取付生地（１１）（２１）の対象物当接面にはホットメルト接着剤（１３）（２３）を積層したことを特徴とする請求項１、２又は３記載の補修用スナップボタン。
【発明の詳細な説明】
【０００１】
【発明が属する技術分野】
本発明は、レインコートの袷部や、財布のフラップ等といった日用品のスナップボタンを備えた生地において、スナップボタンの周囲となる生地が破れたり、スナップボタンが生地から脱落した際に、補修を行なうために使用する補修用ボタンに関する。
【０００２】
【従来の技術】
薄手素材を使用した生地からなるレインコートや財布に取付けられたスナップボタンは、雌雄を離脱させる際に、その係着力の強さ、生地の引張り強度の弱さ等から、スナップボタンの周縁の生地が非常に破れやすいものであった。
【０００３】
当該生地の破れが生じた場合に、ビニールテープ等を破れた部分に貼着して補修する場合には、スナップボタンの一部に前記ビニールテープがかかることがあり、このような場合には、雌雄のスナップボタンを確実に係止させることができなくなり、また、ビニールテープが破れ部分全てに確実に貼着しなくては、補修後に破れが再発することがある。
【０００４】
現在のところ、薄手素材にスナップボタンを使用し、該スナップボタンの周縁の生地が破れた際の、補修専用となる補修用スナップボタンは、特に公知なものは発見されていない。
【０００５】
尚、ボタン全体の範囲では、縫糸が切れて外れたボタンに代えて、一時的に新たなボタンを設け、応急措置的な補修を行なうための補修用ボタンとして、ボタンが縫い付けられた布の裏面に接着のりをつけたものが公知である（例えば、特許文献１参照。）。
【０００６】
【特許文献１】
実開平１−１５５８１０号
【発明が解決しようとする課題】
しかしながら、上記特許文献１に係る考案において、仮にボタンをスナップボタンに置換した場合には、係合した雌雄のスナップボタンを分離させる際に、接着部分を剥がす方向に力が作用するスナップボタンの特質上、当該ボタンを取付けた生地が剥がれる可能性が高く、構成上問題であった。
【０００７】
また、上記特許文献１に係る考案においては、あくまでも応急的な措置を目的とするものに止まるものであり、最終的には、改めてボタンを洋服等の生地に縫着し直すものであった。
【０００８】
本発明は、恒久的な補修を目的として、スナップボタンの周囲の生地が破損した際に、確実且つ簡単に補修を行なえ、当該補修用スナップボタンの脱落を招来しない優れた補修用のスナップボタンの提供を、解決しようとする課題とするものである。
【０００９】
【課題を解決するための手段】
長手方向中央で二つ折り可能な取付生地と、該取付生地に対して設けられる一つの雄スナップボタン又は一つの雌スナップボタンとからなり、前記取付生地は、前記二つ折りの際の折線を対称軸として、前記雄スナップボタン又は雌スナップボタンと線対称となる位置に雄スナップボタンの外径と略等しい内径を有する雄スナップボタン通し穴又は雌スナップボタン通し穴を形成してなることを特徴とする補修用スナップボタンを、主として課題を解決するための手段とする。
【００１０】
【発明の効果】
本発明によれば、上記構成によって、スナップボタンが取付けられているレインコートの袷部や、財布のフラップ等といった取付対象生地が破れた状態となった場合には、当初取付けられていた雄若しくは雌スナップボタンと、該スナップボタンと対になる雌若しくは雄スナップボタンとを取外して、取付生地を二つ折りし、取付対象生地を挟み込んで固着することから、スナップボタンの係合強度にかかわらず、取付対象生地に対して当該補修用スナップボタンを強固に取付けることができる。
【００１１】
また、本発明においては、取付生地を透明とした場合には、当該取付生地が目立つことがなく、取付対象生地の色彩をそのまま表現することができる点において、非常に優れたものとすることができる。
【００１２】
そして上記構成において、取付生地は、雄スナップボタン若しくは雌スナップボタンの係合部側となる面を基準として谷折りし、雄スナップボタン通し穴若しくは雌スナップボタン通し穴と、前記雄スナップボタン若しくは雌スナップボタンとの中心が一致する状態で取付対象生地に取付け可能とし、雄若しくは雌側補修用スナップボタンと、前記当初のスナップボタンの取外しで生じた取付対象生地穴と、雄スナップボタン通し穴若しくは雌スナップボタン通し穴とが一致する状態として、前記取付対象生地に補修用スナップボタンを取付けた場合には、雌雄スナップボタンを離脱する際の負荷に対して、当該雌雄スナップボタンが周縁の生地のみに負荷を与えるのではなく、二つ折りで二重となった生地と取付対象生地で、前記雌雄スナップボタンを離脱する際の負荷に抗することとなるため、極めて強固に取付けることができる。
【００１３】
また、同構成によって、スナップボタン周縁にスナップボタン通し穴が露呈する係合部側は、レインコートの袷部外面や財布のフラップ外面とは裏側に位置することとなることから、スナップボタン通し穴の輪郭が外側へ露呈せず、外観体裁においても優れたものとすることができる。
【００１４】
更に、本発明においては、雄スナップボタン、雌スナップボタン、取付生地の夫々について、耐熱性材料を使用し、取付対象生地との当接面となる対象物当接面にはホットメルト接着剤を用いることで、一般家庭においてアイロン等で熱をかけることで、簡単に補修を行なうことができる。
【００１５】
【発明の実施の形態及び実施例】
図１は本発明の実施例に係る雄側補修用スナップボタンの平面図、正面図、底面図及び右側面図、図２は同実施例における雌雄スナップボタンを構成する雌雄スナップ頭の拡大平面図、拡大正面図、拡大底面図及びＡ−Ａ断面図、図３は同実施例における雄スナップボタンを構成する雄係合子形成体の拡大平面図、拡大正面図、拡大底面図及びＢ−Ｂ断面図、図４は本発明の実施例に係る雌側補修用スナップボタンの平面図、正面図、底面図及び右側面図、図５は実施例における雌スナップボタンを構成する雌係合子形成体の拡大平面図、拡大正面図、拡大底面図及びＣ−Ｃ断面図、図６は雄スナップボタンを取付生地に対して取付けた状態を示す一部断面とした拡大説明図、図７は雌スナップボタンを取付生地に対して取付けた状態を示す一部断面とした拡大説明図、図８は雌側補修用スナップボタンの取付状態を示す斜視図、図９は雌スナップボタンを取付生地に対して取付けて余剰部分が生じた状態を示す一部断面とした拡大説明図、図１０は雌側補修用スナップボタンの余剰部分を切除した状態を示す斜視図、図１１は図１０の一部断面とした拡大説明図である。尚、図１において雄側補修用スナップボタンの左側面図は右側面図と同一、背面図は正面図と対称であり、図２において雌雄スナップ頭の拡大右側面図、拡大左側面図、拡大背面図は拡大正面図と同一であり、図３において雄係合子形成体の拡大右側面図、拡大左側面図、拡大背面図は拡大正面図と同一であり、図４において雌側補修用スナップボタンの左側面図は右側面図と同一、背面図は正面図と対称であり、図５において雌係合子形成体の拡大右側面図、拡大左側面図、拡大背面図は拡大正面図と同一である。尚、本実施例においては、雌スナップボタンのスナップ頭と、雄スナップボタンのスナップ頭の形状は同一であり、雌雄いずれについても、雌雄スナップ頭として使用している。
【００１６】
以下に本発明の一実施例を示す。実施例に係る補修用スナップボタンは、図１に示す雄側補修用スナップボタン１と、図４に示す雌側補修用スナップボタン２とからなる。ここで、前記雄側補修用スナップボタン１は、二つ折り可能な透明の取付生地１１と、該取付生地１１に対して設けられる一つの雄スナップボタン１０とからなり、前記取付生地１１は、前記二つ折りの際の折線Ｌを対称軸として、雄スナップボタン１０と線対称となる位置に雄スナップボタン１０の外径と略同じ内径を有する雄スナップボタン通し穴１２を形成してなる。
【００１７】
また、雄側補修用スナップボタン１は、図２に示す耐熱性に優れたポリアセタール製の雌雄スナップ頭１０ａと図３に示す雄係合子形成体１０ｂとから構成されており、前記雌雄スナップ頭１０ａは、その内面にかしめ用ピン１５及び回転止め用の突起１４を形成している。
【００１８】
更に、雄係合子形成体１０ｂは、筒状の雄係合子１７が形成されており、雄係合子１７と同一軸線として、前記雌雄スナップ頭１０ａにおけるかしめ用ピン１５を挿通するためのかしめ用穴１６が筒状の雄係合子１７の内径よりも小さい外径として形成されている。
【００１９】
上記構成からなる雌雄スナップ頭１０ａと雄係合子形成体１０ｂとで取付生地１１を挟むことにより、雌雄スナップ頭１０ａのかしめ用ピンが前記取付生地１１を貫いて雄係合子形成体１０ｂのかしめ用穴１６に進入し、当該かしめ用ピン１５の先端部を加熱プレスすることで、前記雌雄スナップ頭１０ａと雄係合子形成体１０ｂが一体となり、雄スナップボタン１０として取付生地１１に取付けられる。
【００２０】
次に、雌側補修用スナップボタン２は、二つ折り可能な透明の取付生地２１と、該取付生地２１に対して設けられ、且つ前記雄スナップボタン１０と係脱可能となる、一つの雌スナップボタン２０とからなり、前記取付生地２１は、前記二つ折りの際の折線Ｌを対称軸として、雌スナップボタン２０と線対称となる位置に雌スナップボタン２０の外径と同程度の内径を有する雌スナップボタン通し穴２２を形成してなる。
【００２１】
一方、雌側補修用スナップボタン２は、ポリアセタール製の雌雄スナップ頭１０ａと雌係合子形成体２０ｂとからなり、雌雄スナップ頭１０ａは、前記したように、雄側補修用スナップボタン１における雌雄スナップ頭１０ａと同一形状、即ち、その内面にかしめ用ピン１５及び回転止め用の突起１４を形成した構成である。
【００２２】
また、前記雌係合子形成体２０ｂは、下部中央に雌係合子２７が形成されており、更に、雌係合子２７と同一軸線として、前記雌雄スナップ頭１０ａにおけるかしめ用ピン１５を挿通するためのかしめ用穴２６が筒状の雌係合子２７の内径よりも小さい外径として形成されている。
【００２３】
雄側補修用スナップボタン１、雌側補修用スナップボタン２のいずれとも、夫々の雌雄係合子側の面を基準に、取付生地１１、２１の長手方向中央位置で短手方向へ伸びる折線Ｌで谷折りすることによって、折返した雌スナップボタン通し穴及び雄スナップボタン通し穴が、前記雌側補修用スナップボタン２及び雄側補修用スナップボタン１の夫々の輪郭に沿って嵌り込む状態となる。この構成によって、雄側補修用スナップボタン１若しくは雌側補修用スナップボタン２を、前記取付対象生地３に対して二つ折りして挟着する際には、取付対象生地３における当初のスナップボタンを取外したことによって形成された取付対象生地穴３０と、前記雄側補修用スナップボタン１若しくは雌側補修用スナップボタン２を一致させ、取付けることによって、雄側補修用スナップボタン１若しくは雌側補修用スナップボタン２における係合部が前記取付対象生地穴３０を通して、裏面側に露呈することとなる。
【００２４】
以上の構成による雄スナップボタン及び雌スナップボタンを、夫々取付生地１１、２１に対して挟着固定する。ここで、取付生地１１、２１は、雌雄スナップボタン２０、１０のいずれの場合においても、雌雄係合子形成体１０ｂ、２０ｂ側に、ホットメルト接着剤２３、１３が設けられている。
【００２５】
また、図６及び図７に示すように、雌側補修用スナップボタン２及び雄側補修用スナップボタン１の折返しで形成される折返し端部が取付対象生地３からはみ出す余剰部分が生じない場合には問題とならないが、図８乃至図１１に示すように、雌側補修用スナップボタン２及び雄側補修用スナップボタン１の折返しで形成される折返し端部が取付対象生地３からはみ出す場合には、当該はみ出した折返し端部の余剰部分４を切り捨てることができる。
【００２６】
また、本実施例においては、取付生地を透明としたことから、当該取付生地が目立つことがなく、取付対象生地の色彩をそのまま表現することができる点においても非常に優れたものである。
【００２７】
尚、上記実施例にかかわらず、取付対象生地に対する取付生地１１、２１の固着手段は、上記ホットメルト接着剤２３、１３を使用する場合のほか、縫着、溶着等によって行なうこともできる。
【００２８】
また、本発明については、一対の雄側補修用スナップボタン及び雌側補修用スナップボタンを使用して補修することができることは勿論、例えば、雄側補修用スナップボタン１若しくは雌側補修用スナップボタン２のいずれか一方のみでも実施することができ、例えば、当初の雌スナップボタンが取付対象生地から脱落した場合には、当初の雌スナップボタンと同サイズの雌スナップボタンを具備した雌側補修用スナップボタン２を新たに取付けることで、補修することができるし、当初の雌スナップボタンの近傍の取付対象生地が破損した場合には、当初の雌スナップボタンを取外し、該雌スナップボタンと同サイズの雌スナップボタンを具備した雌側補修用スナップボタン２を新たに取付けて補修することができる。
【００２９】
更に、上記実施例においては、雄スナップボタン、雌スナップボタンとも共通の雌雄スナップ頭を用いることにより、製造コストの低廉化を図ることができる。また、本発明においては、上記共通部品となる雌雄スナップ頭を用いることについて限定するものではなく、雌雄スナップボタン夫々に別形状のスナップ頭を使用することもできる。
【図面の簡単な説明】
【図１】本発明の実施例に係る雄側補修用スナップボタンの平面図、正面図、底面図及び右側面図である。
【図２】実施例における雄スナップボタンを構成する雌雄スナップ頭の拡大平面図、拡大正面図、拡大底面図及びＡ−Ａ断面図である。
【図３】実施例における雄スナップボタンを構成する雄係合子形成体の拡大平面図、拡大正面図、拡大底面図及びＢ−Ｂ断面図である。
【図４】本発明の実施例に係る雌側補修用スナップボタンの平面図、正面図、底面図及び右側面図である。
【図５】実施例における雌スナップボタンを構成する雌係合子形成体の拡大平面図、拡大正面図、拡大底面図及びＣ−Ｃ断面図である。
【図６】雄スナップボタンを取付生地に対して取付けた状態を示す一部断面とした拡大説明図である。
【図７】雌スナップボタンを取付生地に対して取付けた状態を示す一部断面とした拡大説明図である。
【図８】雌側補修用スナップボタンの取付状態を示す斜視図である。
【図９】雌スナップボタンを取付生地に対して取付けて余剰部分が生じた状態を示す一部断面とした拡大説明図である。
【図１０】雌側補修用スナップボタンの余剰部分を切除した状態を示す斜視図である。
【図１１】雌側補修用スナップボタンの余剰部分を切除した状態の一部断面とした拡大説明図である。
【符号の説明】
１        雄側補修用スナップボタン
１０      雄スナップボタン
１０ａ      雌雄スナップ頭
１０ｂ      雄係合子形成体
１１      取付生地
１２      雄スナップボタン通し穴
１３      ホットメルト接着剤
１４      突起
１５      かしめ用ピン
１６      かしめ用穴
１７      雄係合子
２        雌側補修用スナップボタン
２０      雌スナップボタン
２０ｂ      雌係合子形成体
２１      取付生地
２２      雌スナップボタン通し穴
２３      ホットメルト接着剤
２６      かしめ用穴
２７      雌係合子
３        取付対象生地
３０      取付対象生地穴
４        余剰部分
Ｌ        折線
【図１】
2004358042.tif 000003
【図２】
2004358042.tif 000004
【図３】
2004358042.tif 000005
【図４】
2004358042.tif 000006
【図５】
2004358042.tif 000007
【図６】
2004358042.tif 000008
【図７】
2004358042.tif 000009
【図８】
2004358042.tif 000010
【図９】
2004358042.tif 000011
【図１０】
2004358042.tif 000012
【図１１】
2004358042.tif 000013